(57)【特許請求の範囲】
【請求項１】
端末デバイスに対するサービングセルにおけるネットワークデバイスによって、第１の表示情報を入手するステップであって、前記第１の表示情報は、第１の信号の伝送電力と基準信号の伝送電力との間における大きさ関係を示すために使用され、前記第１の信号は同期信号である、ステップと、
前記ネットワークデバイスによって、前記第１の表示情報を前記端末デバイスへ送信するステップと
を含み、
前記第１の信号および前記基準信号は、隣接セルの信号であり、
前記第１の表示情報は、前記基準信号の前記伝送電力に対する前記第１の信号の前記伝送電力の比率である、情報送信方法。
【請求項２】
前記ネットワークデバイスによって、前記第１の表示情報を前記端末デバイスへ送信する前記ステップは、
前記ネットワークデバイスによって、前記第１の表示情報をシステムメッセージ４またはシステムメッセージ５に従って前記端末デバイスへ送信することを含む
ことを特徴とする請求項１に記載の方法。
【請求項３】
前記第１の信号はセカンダリー同期信号（ＳＳＳ）である
ことを特徴とする請求項１または２に記載の方法。
【請求項４】
端末デバイスに対するサービングセルにおけるネットワークデバイスによって送信された第１の表示情報を、前記端末デバイスによって受信するステップであって、前記第１の表示情報は、第１の信号の伝送電力と基準信号の伝送電力との間における大きさ関係を示すために使用され、前記第１の信号は同期信号である、ステップと、
前記端末デバイスによって、前記第１の表示情報、前記第１の信号の受信電力、および前記基準信号の受信電力に基づいて第１の受信電力を決定するステップと
を含み、
前記第１の信号および前記基準信号は、隣接セルの信号であり、
前記第１の表示情報は、前記基準信号の前記伝送電力に対する前記第１の信号の前記伝送電力の比率である、受信電力測定方法。
【請求項５】
ネットワークデバイスによって送信された前記第１の表示情報を、前記端末デバイスによって受信する前記ステップは、
前記ネットワークデバイスによって送信された前記第１の表示情報をシステムメッセージ４またはシステムメッセージ５に従って前記端末デバイスによって受信する
ことを特徴とする請求項４に記載の方法。
【請求項６】
前記第１の信号はセカンダリー同期信号（ＳＳＳ）である
ことを特徴とする請求項４または５に記載の方法。
【請求項７】
第１の表示情報を入手するように構成されている処理モジュールであって、前記第１の表示情報は、第１の信号の伝送電力と基準信号の伝送電力との間における大きさ関係を示すために使用され、前記第１の信号は同期信号である、処理モジュールと、
前記処理モジュールによって入手された前記第１の表示情報を端末デバイスへ送信するように構成されているトランシーバモジュールと
を含む通信機器であって、
前記第１の信号および前記基準信号は、隣接セルの信号であり、
前記第１の表示情報は、前記基準信号の前記伝送電力に対する前記第１の信号の前記伝送電力の比率であり、
前記通信機器は前記端末デバイスに対するサービングセル内にある、通信機器。
【請求項８】
前記トランシーバモジュールは特に、
前記第１の表示情報をシステムメッセージ４またはシステムメッセージ５に従って前記端末デバイスへ送信するように構成される
ことを特徴とする請求項７に記載の機器。
【請求項９】
前記第１の信号はセカンダリー同期信号（ＳＳＳ）である
ことを特徴とする請求項７または８に記載の機器。
【請求項１０】
ネットワークデバイスによって送信された第１の表示情報を受信するように構成されているトランシーバモジュールであって、前記第１の表示情報は、第１の信号の伝送電力と基準信号の伝送電力との間における大きさ関係を示すために使用され、前記第１の信号は同期信号である、トランシーバモジュールと、
前記第１の表示情報、前記第１の信号の受信電力、および前記基準信号の受信電力に基づいて第１の受信電力を決定するように構成されている処理モジュールと
を含む通信機器であって、
前記前記第１の信号および前記基準信号は、隣接セルの信号であり、
前記第１の表示情報は、前記基準信号の前記伝送電力に対する前記第１の信号の前記伝送電力の比率であり、
前記通信機器は前記ネットワークデバイスのサービングセル内にある、通信機器。
【請求項１１】
前記トランシーバモジュールは特に、
前記ネットワークデバイスによって送信された前記第１の表示情報をシステムメッセージ４またはシステムメッセージ５に従って受信するように構成される
ことを特徴とする請求項１０に記載の機器。
【請求項１２】
前記第１の信号はセカンダリー同期信号（ＳＳＳ）である
ことを特徴とする請求項１０または１１に記載の機器。
【請求項１３】
請求項７乃至９のいずれか一項に記載のネットワークデバイスと、請求項１０乃至１２のいずれか一項に記載の端末デバイスとを含む通信システム。
【発明の詳細な説明】
【技術分野】
【０００１】
本出願は、ワイヤレス通信テクノロジーの分野に関連しており、詳細には、情報送信方法、受信電力測定方法、デバイス、およびシステムに関連している。
【背景技術】
【０００２】
ロングタームエボリューション（Ｌｏｎｇ  Ｔｉｍｅ  Ｅｖｏｌｕｔｉｏｎ、ＬＴＥ）システムにおいては、基準信号受信電力（Ｒｅｆｅｒｅｎｃｅ  Ｓｉｇｎａｌ  Ｒｅｃｅｉｖｅｄ  Ｐｏｗｅｒ、ＲＳＲＰ）が、セル固有基準信号（Ｃｅｌｌ−ｓｐｅｃｉｆｉｃ  Ｒｅｆｅｒｅｎｃｅ  Ｓｉｇｎａｌ、ＣＲＳ）に基づいて測定され、主としてセル選択、セル再選択、およびアップリンク電力制御のために使用される。ＲＳＲＰを測定する基本的な原理は、次のとおりである。基地局が、ＣＲＳを端末デバイスへ送信し、端末デバイスは、ＣＲＳを受信した後に、ＣＲＳを搬送しているリソース要素（Ｒｅｓｏｕｒｃｅ  Ｅｌｅｍｅｎｔ、ＲＥ）のうちのそれぞれの上の信号受信電力を決定し、ＣＲＳを搬送しているすべてのＲＥ上の信号受信電力の平均をＲＳＲＰとして使用する。ＬＴＥシステムにおいては、ＣＲＳを搬送している比較的大量のＲＥがある。したがって、ＣＲＳに基づいて端末デバイスによってＲＳＲＰを測定する精度は、比較的高く、それによって端末デバイスは、ＲＳＲＰに基づいて比較的正確な選択を行うことが可能である。
【０００３】
ナローバンドインターネットオブシングス（Ｎａｒｒｏｗｂａｎｄ  Ｉｎｔｅｒｎｅｔ  ｏｆ  Ｔｈｉｎｇｓ、ＮＢ−ＩｏＴ）システムにおける帯域幅は、ＬＴＥシステムにおける帯域幅よりも小さい。したがって、ＮＢ−ＩｏＴシステムにおいては、ＲＳＲＰは、ナローバンド基準信号受信電力（Ｎａｒｒｏｗｂａｎｄ  Ｒｅｓｏｕｒｃｅ  Ｓｉｇｎａｌ  Ｒｅｃｅｉｖｅｄ  Ｐｏｗｅｒ、ＮＲＳＲＰ）と呼ばれる。現在、ＮＲＳＲＰは、ナローバンド基準信号（Ｎａｒｒｏｗｂａｎｄ  Ｒｅｆｅｒｅｎｃｅ  Ｓｉｇｎａｌ、ＮＲＳ）に基づいて測定されている。具体的には、基地局が、ＮＲＳを端末デバイスへ送信し、端末デバイスは、ＮＲＳを受信し、ＮＲＳを搬送しているＲＥのうちのそれぞれの上の信号受信電力を決定し、ＮＲＳを搬送しているすべてのＲＥ上の信号受信電力の平均をＮＲＳＲＰとして使用する。ＮＲＳを搬送しているのは比較的少量のＲＥである。したがって、ＮＢ−ＩｏＴシステムにおいては、ＮＲＳにのみ基づく測定を通じてＮＲＳＲＰを入手する精度は、比較的貧弱である。その結果として、セルの信号強度が正確に測定されることが不可能であり、通信プロセスにおける信号伝送品質が影響される。
【発明の概要】
【発明が解決しようとする課題】
【０００４】
本出願の実施形態は、通信プロセスにおける信号伝送品質を改善するのを支援するための情報送信方法、受信電力測定方法、デバイス、およびシステムを提供する。
【課題を解決するための手段】
【０００５】
第１の態様によれば、表示情報送信方法が提供され、
ネットワークデバイスによって第１の表示情報を入手するステップと、第１の表示情報を端末デバイスへ送信するステップとを含み、第１の表示情報は、第１の信号の伝送電力と基準信号の伝送電力との間における大きさ関係を示すために使用され、または第１の表示情報は、第１の信号の伝送電力を示すために使用され、第１の信号は、同期信号、測位基準信号、およびブロードキャスト信号のうちの少なくとも１つである。
【０００６】
ネットワークデバイスは、第１の表示情報を端末デバイスへ送信し得る。したがって端末デバイスは、第１の表示情報、第１の信号の受信電力、および基準信号の受信電力に基づいて第１の受信電力を入手し得る。第１の受信電力を使用することによって測定されるセルの信号強度は、従来技術において測定されるセルの信号強度よりも正確であり、それによって端末デバイスは、正しい選択を行うことが可能であり、それにより、通信プロセスにおける信号伝送品質を改善するのを支援する。
【０００７】
第１の態様によれば、可能な設計においては、第１の信号および基準信号は、サービングセルの信号であり、第１の表示情報は、基準信号の伝送電力に対する第１の信号の伝送電力の比率、もしくは第１の信号の伝送電力と基準信号の伝送電力との間における差であり、または第１の表示情報は、第１の信号の伝送電力であり、または第１の表示情報は、第１の指数であり、第１の指数は、第１の信号の伝送電力、もしくは第１の信号の伝送電力と基準信号の伝送電力との間における大きさ関係を指数化するために使用される。
【０００８】
本出願のこの実施形態においては、サービングセルは、端末デバイスが現在配置されているセル、具体的には、端末デバイスに現在サービス提供しているセルであるということを理解されたい。
【０００９】
たとえば、第１の指数は、基準信号の受信電力に対する第１の信号の受信電力の比率に対応する。たとえば、基準信号の受信電力に対する第１の信号の受信電力の比率が１．２である場合には、対応する指数は５である。指数と比率との間における対応が、端末デバイスおよびネットワークデバイスにおいて事前に構成され得る。加えて、指数と比率との間における対応の表が、代替としてネットワークデバイスにおいて事前に構成され得、ネットワークデバイスおよび端末デバイスが同じ対応表を使用するならば、ネットワークデバイスによって端末デバイスへ配信される。具体的な実施態様は、本明細書においては限定されない。第１の表示情報が第１の信号の伝送電力と基準信号の伝送電力との間における差である場合には、状況は同様であり、詳細がここで再び記述されることはない。
【００１０】
第１の態様によれば、可能な設計においては、第１の信号および基準信号は、隣接セルの信号であり、第１の表示情報は、基準信号の伝送電力に対する第１の信号の伝送電力の比率、もしくは第１の信号の伝送電力と基準信号の伝送電力との間における差であり、または第１の表示情報は、第２の指数であり、第２の指数は、第１の信号の伝送電力と基準信号の伝送電力との間における大きさ関係を指数化するために使用される。
【００１１】
端末デバイスへ送信される第１の表示情報は、隣接セルにおける基準信号の伝送電力に対する隣接セルにおける第１の信号の伝送電力の比率、または隣接セルにおける第１の信号の伝送電力と隣接セルにおける基準信号の伝送電力との間における差を示し、第１の表示情報は、ネットワークデバイスによってサービングセルにおいて端末デバイスへ送信される。したがって、サービングセルにおける信号が隣接セルにおける信号に比較的大きく干渉する場合に端末デバイスが隣接セルから第１の表示情報を直接入手することが不可能であるケースが回避され、端末デバイスの電力消費が低減される。
【００１２】
第１の態様によれば、可能な設計においては、第１の表示情報は、第１のパラメータ値および第２のパラメータ値を含み、第１のパラメータ値は、第１の指数であり、第１の指数は、第１の信号の伝送電力、もしくは第１の信号の伝送電力と基準信号の伝送電力との間における大きさ関係を指数化するために使用され、または第１のパラメータ値は、サービングセルにおける基準信号の伝送電力に対する第１の信号の伝送電力の比率、もしくはサービングセルにおける第１の信号の伝送電力と基準信号の伝送電力との間における差であり、第２のパラメータ値は、第２の指数であり、第２の指数は、第１の信号の伝送電力と基準信号の伝送電力との間における大きさ関係を指数化するために使用され、または第２のパラメータ値は、隣接セルにおける基準信号の伝送電力に対する第１の信号の伝送電力の比率、もしくは隣接セルにおける第１の信号の伝送電力と基準信号の伝送電力との間における差である。
【００１３】
第１のパラメータ値が第１の指数であり、第２のパラメータ値が第２の指数である場合に、第１の指数および第２の指数の両方が
【００１４】
【数１】
0006923672.tif 000002
【００１５】
という値に対応するならば（この場合、Ｗ1は第１の信号の受信電力であり、Ｗ2は基準信号の受信電力である）、第１の指数および第２の指数は、１つの指数表を共有し得る。
【００１６】
第１の態様によれば、可能な設計においては、ネットワークデバイスは、第２の表示情報を端末デバイスへ送信し、第２の表示情報は、第１のパラメータ値が第２のパラメータ値と同じであるかどうかを示すために使用される。
【００１７】
ネットワークデバイスは、第２の表示情報を端末デバイスへ送信する。第２の表示情報を受信した後に、端末デバイスは、第１のパラメータ値が第２のパラメータ値と同じであるということを決定した後に第１のパラメータ値に基づいて隣接セルの第１の受信電力を直接入手し得、第２のパラメータ値は、デコーディングを通じて入手されることを必要としない。通常、第２の表示情報をエンコードすることは比較的シンプルであり、それによって、隣接セルの第１の受信電力を測定する様式を簡略化するのを支援する。
【００１８】
第２の態様によれば、受信電力測定方法が提供され、
ネットワークデバイスによって送信された第１の表示情報を端末デバイスによって受信するステップと、第１の表示情報、第１の信号の受信電力、および基準信号の受信電力に基づいて第１の受信電力を決定するステップとを含み、第１の表示情報は、第１の信号の伝送電力と基準信号の伝送電力との間における大きさ関係を示すために使用され、または第１の表示情報は、第１の信号の伝送電力を示すために使用され、第１の信号は、同期信号、測位基準信号、およびブロードキャスト信号のうちの少なくとも１つである。
【００１９】
第１の信号およびパラメータ信号が同じセルに属する場合には、第１の受信電力は、そのセルの信号強度を示すために使用されるということを理解されたい。
【００２０】
端末デバイスは、第１の表示情報、第１の信号の受信電力、および基準信号の受信電力に基づいて第１の受信電力を入手し得、第１の受信電力を使用することによって測定されるセルの信号強度は、従来技術において測定されるセルの信号強度よりも正確であり、それによって端末デバイスは、第１の受信電力に基づいて正しい選択を行うことが可能であり、それにより、通信プロセスにおける信号伝送品質を改善するのを支援する。
【００２１】
第２の態様によれば、可能な設計においては、第１の信号および基準信号は、サービングセルの信号である。
【００２２】
第１の表示情報は、基準信号の伝送電力に対する第１の信号の伝送電力の比率、もしくは第１の信号の伝送電力と基準信号の伝送電力との間における差であり、または第１の表示情報は、第１の信号の伝送電力であり、または第１の表示情報は、第１の指数であり、第１の指数は、第１の信号の伝送電力、もしくは第１の信号の伝送電力と基準信号の伝送電力との間における大きさ関係を指数化するために使用される。
【００２３】
本出願のこの実施形態においては、サービングセルは、端末デバイスが現在配置されているセル、具体的には、端末デバイスに現在サービス提供しているセルであるということを理解されたい。
【００２４】
たとえば、第１の指数は、基準信号の受信電力に対する第１の信号の受信電力の比率に対応する。たとえば、基準信号の受信電力に対する第１の信号の受信電力の比率が１．５である場合には、対応する指数は２である。指数と比率との間における対応が、端末デバイスおよびネットワークデバイスにおいて事前に構成され得る。加えて、指数と比率との間における対応の表が、代替としてネットワークデバイスにおいて事前に構成され得、ネットワークデバイスおよび端末デバイスが同じ対応表を使用するならば、ネットワークデバイスによって端末デバイスへ配信される。具体的な実施態様は、本明細書においては限定されない。第１の表示情報が第１の信号の伝送電力と基準信号の伝送電力との間における差である場合には、状況は同様であり、詳細がここで再び記述されることはない。
【００２５】
第２の態様によれば、可能な設計においては、第１の信号および基準信号は、隣接セルの信号であり、第１の表示情報は、基準信号の伝送電力に対する第１の信号の伝送電力の比率、もしくは第１の信号の伝送電力と基準信号の伝送電力との間における差であり、または第１の表示情報は、第２の指数であり、第２の指数は、第１の信号の伝送電力と基準信号の伝送電力との間における大きさ関係を指数化するために使用される。
【００２６】
第１の表示情報は、隣接セルにおける基準信号の伝送電力に対する隣接セルにおける第１の信号の伝送電力の比率、または隣接セルにおける第１の信号の伝送電力と隣接セルにおける基準信号の伝送電力との間における差を示し、第１の表示情報は、ネットワークデバイスによってサービングセルにおいて端末デバイスへ送信される。したがって、サービングセルにおける信号が隣接セルにおける信号に比較的大きく干渉する場合に端末デバイスが隣接セルから第１の表示情報を直接入手することが不可能であるケースが回避され、端末デバイスの電力消費が低減される。
【００２７】
第２の態様によれば、可能な設計においては、第１の受信電力は、第１の信号の受信電力と基準信号の受信電力との線形平均である。
【００２８】
第２の態様によれば、可能な設計においては、第１の表示情報は、第１のパラメータ値および第２のパラメータ値を含み、第１のパラメータ値は、第１の指数であり、第１の指数は、第１の信号の伝送電力、もしくは第１の信号の伝送電力と基準信号の伝送電力との間における大きさ関係を指数化するために使用され、または第１のパラメータ値は、サービングセルにおける基準信号の伝送電力に対する第１の信号の伝送電力の比率、もしくはサービングセルにおける第１の信号の伝送電力と基準信号の伝送電力との間における差であり、第２のパラメータ値は、第２の指数であり、第２の指数は、第１の信号の伝送電力と基準信号の伝送電力との間における大きさ関係を指数化するために使用され、または第２のパラメータ値は、隣接セルにおける基準信号の伝送電力に対する第１の信号の伝送電力の比率、もしくは隣接セルにおける第１の信号の伝送電力と基準信号の伝送電力との間における差である。
【００２９】
第２の態様によれば、可能な設計においては、端末デバイスは、ネットワークデバイスによって送信された第２の表示情報を受信し、第２の表示情報は、第１のパラメータ値が第２のパラメータ値と同じであるかどうかを示すために使用される。
【００３０】
端末デバイスは、第１の表示情報における第１のパラメータ値と、サービングセル内にある第１の信号の受信電力および基準信号の受信電力とに基づいてサービングセルの第１の受信電力を決定し、第１のパラメータ値が第２のパラメータ値と同じであるということを第２の表示情報が示している場合に、第１のパラメータ値と、隣接セル内にある第１の信号の受信電力および基準信号の受信電力とに基づいて隣接セルの第１の受信電力を決定し、または第１のパラメータ値が第２のパラメータ値とは異なるということを第２の表示情報が示している場合に、第２のパラメータ値と、隣接セル内にある第１の信号の受信電力および基準信号の受信電力とに基づいて隣接セルの第１の受信電力を決定する。
【００３１】
第１のパラメータ値が第２のパラメータ値と同じであるということを第２の表示情報に従って決定した後に、端末デバイスは、第１のパラメータ値に基づいて隣接セルの第１の受信電力を直接入手し得、第２のパラメータ値は、デコーディングを通じて入手されることを必要としない。通常、第２の表示情報をエンコードすることは比較的シンプルであり、それによって、隣接セルの第１の受信電力を測定する様式を簡略化するのを支援する。
【００３２】
第３の態様によれば、情報送信方法が提供され、
ネットワークデバイスによって第１の表示情報を決定するステップと、第１の表示情報を端末デバイスへ送信するステップとを含み、第１の表示情報は、第１の受信電力の測定様式を端末デバイスに示すために使用され、第１の受信電力は、セルの信号強度を示すために使用される。
【００３３】
ネットワークデバイスは、第１の受信電力の測定様式を端末デバイスに示し得、それによって、端末デバイスがセルの信号強度をより正確に測定するのを支援する。
【００３４】
第３の態様によれば、可能な設計においては、端末デバイスによって第１の信号受信電力を測定する柔軟性を改善するために、第１の受信電力の測定様式は、基準信号に基づく測定、基準信号および第１の信号に基づく測定、ならびに第１の信号に基づく測定を含み得る。第１の信号は、同期信号、測位基準信号、およびブロードキャスト信号のうちの少なくとも１つである。
【００３５】
たとえば、基準信号に基づく測定中には、基準信号の受信電力が、第１の受信電力として使用され、基準信号および第１の信号に基づく測定中には、第１の受信電力は、基準信号の受信電力および第１の信号の受信電力に基づいて決定され、第１の信号に基づく測定中には、第１の受信電力は、第１の信号の受信電力に基づいて決定される。
【００３６】
第４の態様によれば、情報受信方法が提供され、
基地局によって送信された第１の表示情報を端末デバイスによって受信するステップと、第１の表示情報に基づいて第１の受信電力を測定するステップとを含み、第１の表示情報は、第１の受信電力の測定様式を示すために使用され、第１の受信電力は、セルの信号強度を示すために使用される。
【００３７】
端末デバイスは、第１の表示情報によって示されている第１の受信電力の測定様式に基づいて第１の受信電力を測定し得、それにより、ネットワークデバイスによって送信された信号の信号強度を端末デバイスがより正確に測定するのを支援する。
【００３８】
第４の態様によれば、可能な設計においては、端末デバイスによって第１の信号受信電力を測定する柔軟性を改善するために、第１の受信電力の測定様式は、基準信号に基づく測定、基準信号および第１の信号に基づく測定、ならびに第１の信号に基づく測定を含み得る。第１の信号は、同期信号、測位基準信号、およびブロードキャスト信号のうちの少なくとも１つである。
【００３９】
たとえば、基準信号に基づく測定中には、基準信号の受信電力が、第１の受信電力として使用され、基準信号および第１の信号に基づく測定中には、第１の受信電力は、基準信号の受信電力および第１の信号の受信電力に基づいて決定され、第１の信号に基づく測定中には、第１の受信電力は、第１の信号の受信電力に基づいて決定される。
【００４０】
第５の態様によれば、ネットワークデバイスが提供され、処理モジュールおよびトランシーバモジュールを含む。処理モジュールは、第１の表示情報を入手するように構成されており、第１の表示情報は、第１の信号の伝送電力と基準信号の伝送電力との間における大きさ関係を示すために使用され、または第１の表示情報は、第１の信号の伝送電力を示すために使用され、第１の信号は、同期信号、測位基準信号、およびブロードキャスト信号のうちの少なくとも１つである。トランシーバモジュールは、処理モジュールによって入手された第１の表示情報を端末デバイスへ送信するように構成されている。
【００４１】
第５の態様によれば、可能な設計においては、第１の信号および基準信号は、サービングセルの信号であり、第１の表示情報は、基準信号の伝送電力に対する第１の信号の伝送電力の比率、もしくは第１の信号の伝送電力と基準信号の伝送電力との間における差であり、または第１の表示情報は、第１の信号の伝送電力であり、または第１の表示情報は、第１の指数であり、第１の指数は、第１の信号の伝送電力、もしくは第１の信号の伝送電力と基準信号の伝送電力との間における大きさ関係を指数化するために使用される。
【００４２】
第５の態様によれば、可能な設計においては、第１の信号および基準信号は、隣接セルの信号であり、第１の表示情報は、基準信号の伝送電力に対する第１の信号の伝送電力の比率、もしくは第１の信号の伝送電力と基準信号の伝送電力との間における差であり、または第１の表示情報は、第２の指数であり、第２の指数は、第１の信号の伝送電力と基準信号の伝送電力との間における大きさ関係を指数化するために使用される。
【００４３】
第５の態様によれば、可能な設計においては、第１の表示情報は、第１のパラメータ値および第２のパラメータ値を含み、第１のパラメータ値は、第１の指数であり、第１の指数は、第１の信号の伝送電力、もしくは第１の信号の伝送電力と基準信号の伝送電力との間における大きさ関係を指数化するために使用され、または第１のパラメータ値は、サービングセルにおける基準信号の伝送電力に対する第１の信号の伝送電力の比率、もしくはサービングセルにおける第１の信号の伝送電力と基準信号の伝送電力との間における差であり、第２のパラメータ値は、第２の指数であり、第２の指数は、第１の信号の伝送電力と基準信号の伝送電力との間における大きさ関係を指数化するために使用され、または第２のパラメータ値は、隣接セルにおける基準信号の伝送電力に対する第１の信号の伝送電力の比率、もしくは隣接セルにおける第１の信号の伝送電力と基準信号の伝送電力との間における差である。
【００４４】
第５の態様によれば、可能な設計においては、トランシーバモジュールは、第２の表示情報を端末デバイスへ送信するようにさらに構成されており、第２の表示情報は、第１のパラメータ値が第２のパラメータ値と同じであるかどうかを示すために使用される。
【００４５】
第６の態様によれば、本出願の実施形態の第５の態様において提供されているネットワークデバイスにおいては、処理モジュールに対応する物理デバイスは、プロセッサであり得、トランシーバモジュールに対応する物理デバイスは、トランシーバであり得る。
【００４６】
第７の態様によれば、本出願の実施形態は、前述のネットワークデバイスによって使用されるコンピュータソフトウェア命令を格納するように構成されているコンピュータストレージメディアを提供する。このコンピュータストレージメディアは、前述の態様を実行するように設計されているプログラムを含む。
【００４７】
第８の態様によれば、端末デバイスが提供され、処理モジュールおよびトランシーバモジュールを含む。トランシーバモジュールは、ネットワークデバイスによって送信された第１の表示情報を受信するように構成されており、第１の表示情報は、第１の信号の伝送電力と基準信号の伝送電力との間における大きさ関係を示すために使用され、または第１の表示情報は、第１の信号の伝送電力を示すために使用され、第１の信号は、同期信号、測位基準信号、およびブロードキャスト信号のうちの少なくとも１つである。処理モジュールは、第１の表示情報、第１の信号の受信電力、および基準信号の受信電力に基づいて第１の受信電力を決定するように構成されている。
【００４８】
第８の態様によれば、可能な設計においては、第１の信号および基準信号は、サービングセルの信号であり、第１の表示情報は、基準信号の伝送電力に対する第１の信号の伝送電力の比率、もしくは第１の信号の伝送電力と基準信号の伝送電力との間における差であり、または第１の表示情報は、第１の信号の伝送電力であり、または第１の表示情報は、第１の指数であり、第１の指数は、第１の信号の伝送電力、もしくは第１の信号の伝送電力と基準信号の伝送電力との間における大きさ関係を指数化するために使用される。
【００４９】
第８の態様によれば、可能な設計においては、第１の信号および基準信号は、隣接セルの信号であり、第１の表示情報は、基準信号の伝送電力に対する第１の信号の伝送電力の比率、もしくは第１の信号の伝送電力と基準信号の伝送電力との間における差であり、または第１の表示情報は、第２の指数であり、第２の指数は、第１の信号の伝送電力と基準信号の伝送電力との間における大きさ関係を指数化するために使用される。
【００５０】
第８の態様によれば、可能な設計においては、第１の受信電力は、第１の信号の受信電力と基準信号の受信電力との線形平均である。
【００５１】
第８の態様によれば、可能な設計においては、第１の表示情報は、第１のパラメータ値および第２のパラメータ値を含み、第１のパラメータ値は、第１の指数であり、第１の指数は、第１の信号の伝送電力、もしくは第１の信号の伝送電力と基準信号の伝送電力との間における大きさ関係を指数化するために使用され、または第１のパラメータ値は、サービングセルにおける基準信号の伝送電力に対する第１の信号の伝送電力の比率、もしくはサービングセルにおける第１の信号の伝送電力と基準信号の伝送電力との間における差であり、第２のパラメータ値は、第２の指数であり、第２の指数は、第１の信号の伝送電力と基準信号の伝送電力との間における大きさ関係を指数化するために使用され、または第２のパラメータ値は、隣接セルにおける基準信号の伝送電力に対する第１の信号の伝送電力の比率、もしくは隣接セルにおける第１の信号の伝送電力と基準信号の伝送電力との間における差である。
【００５２】
第８の態様によれば、可能な設計においては、トランシーバモジュールは、ネットワークデバイスによって送信された第２の表示情報を受信するようにさらに構成されており、第２の表示情報は、第１のパラメータ値が第２のパラメータ値と同じであるかどうかを示すために使用される。処理モジュールは、第１の表示情報における第１のパラメータ値と、サービングセル内にある第１の信号の受信電力および基準信号の受信電力とに基づいてサービングセルの第１の受信電力を決定し、第１のパラメータ値が第２のパラメータ値と同じであるということを第２の表示情報が示している場合に、第１のパラメータ値と、隣接セル内にある第１の信号の受信電力および基準信号の受信電力とに基づいて隣接セルの第１の受信電力を決定し、または第１のパラメータ値が第２のパラメータ値とは異なるということを第２の表示情報が示している場合に、第１の表示情報における第２のパラメータ値と、隣接セル内にある第１の信号の受信電力および基準信号の受信電力とに基づいて隣接セルの第１の受信電力を決定する。
【００５３】
第９の態様によれば、本出願の実施形態の第８の態様において提供されている端末デバイスにおいては、処理モジュールに対応する物理デバイスは、プロセッサであり得、トランシーバモジュールに対応する物理デバイスは、トランシーバであり得る。
【００５４】
第１０の態様によれば、本出願の実施形態は、前述の端末デバイスによって使用されるコンピュータソフトウェア命令を格納するように構成されているコンピュータストレージメディアを提供する。このコンピュータストレージメディアは、前述の態様を実行するように設計されているプログラムを含む。
【００５５】
第１１の態様によれば、本出願の実施形態は、前述の実施形態におけるネットワークデバイスおよび端末デバイスを含む通信システムを提供する。
【００５６】
第１２の態様によれば、ネットワークデバイスが提供され、処理モジュールおよびトランシーバモジュールを含む。処理モジュールは、第１の表示情報を決定するように構成されている。トランシーバモジュールは、第１の表示情報を端末デバイスへ送信するように構成されており、第１の表示情報は、第１の受信電力の測定様式を端末デバイスに示すために使用される。
【００５７】
第１２の態様によれば、可能な設計においては、第１の受信電力の測定様式は、基準信号に基づく測定、基準信号および第１の信号に基づく測定、ならびに第１の信号に基づく測定を含む。第１の信号は、同期信号、測位基準信号、およびブロードキャスト信号のうちの少なくとも１つである。
【００５８】
たとえば、基準信号に基づく測定中には、基準信号の受信電力が、第１の受信電力として使用され、基準信号および第１の信号に基づく測定中には、第１の受信電力は、基準信号の受信電力および第１の信号の受信電力に基づいて決定され、第１の信号に基づく測定中には、第１の受信電力は、第１の信号の受信電力に基づいて決定される。
【００５９】
第１３の態様によれば、本出願の実施形態の第１２の態様において提供されているネットワークデバイスにおいては、処理モジュールに対応する物理デバイスは、プロセッサであり得、トランシーバモジュールに対応する物理デバイスは、トランシーバであり得る。
【００６０】
第１４の態様によれば、本出願の実施形態は、前述のネットワークデバイスによって使用されるコンピュータソフトウェア命令を格納するように構成されているコンピュータストレージメディアを提供する。このコンピュータストレージメディアは、前述の態様を実行するように設計されているプログラムを含む。
【００６１】
第１５の態様によれば、端末デバイスが提供され、トランシーバモジュールおよび処理モジュールを含む。トランシーバモジュールは、基地局によって送信された第１の表示情報を受信するように構成されている。処理モジュールは、第１の表示情報に基づいて第１の受信電力を測定するように構成されており、第１の表示情報は、第１の受信電力の測定様式を示すために使用され、第１の受信電力は、セルの信号強度を示すために使用される。
【００６２】
第１５の態様によれば、可能な設計においては、第１の受信電力の測定様式は、基準信号に基づく測定、基準信号および第１の信号に基づく測定、ならびに第１の信号に基づく測定を含む。第１の信号は、同期信号、測位基準信号、およびブロードキャスト信号のうちの少なくとも１つである。
【００６３】
たとえば、基準信号に基づく測定中には、基準信号の受信電力が、第１の受信電力として使用され、基準信号および第１の信号に基づく測定中には、第１の受信電力は、基準信号の受信電力および第１の信号の受信電力に基づいて決定され、第１の信号に基づく測定中には、第１の受信電力は、第１の信号の受信電力に基づいて決定される。
【００６４】
第１６の態様によれば、本出願の実施形態の第１５の態様において提供されている端末デバイスにおいては、処理モジュールに対応する物理デバイスは、プロセッサであり得、トランシーバモジュールに対応する物理デバイスは、トランシーバであり得る。
【００６５】
第１７の態様によれば、本出願の実施形態は、前述の端末デバイスによって使用されるコンピュータソフトウェア命令を格納するように構成されているコンピュータストレージメディアを提供する。このコンピュータストレージメディアは、前述の態様を実行するように設計されているプログラムを含む。
【００６６】
第１８の態様によれば、本出願の実施形態は、前述の実施形態におけるネットワークデバイスおよび端末デバイスを含む通信システムを提供する。
【図面の簡単な説明】
【００６７】
【図１】本出願の実施形態による通信システムの概略構造図である。
【図２】本出願の実施形態による受信電力測定方法の概略フローチャートである。
【図３】本出願の実施形態によるリソースロケーションの概略図である。
【図４】本出願の実施形態による表示情報伝送方法の概略フローチャートである。
【図５ａ】本出願の実施形態によるネットワークデバイスの概略構造図である。
【図５ｂ】本出願の実施形態によるネットワークデバイスの概略構造図である。
【図６ａ】本出願の実施形態による端末デバイスの概略構造図である。
【図６ｂ】本出願の実施形態による端末デバイスの概略構造図である。
【図７】本出願の実施形態による通信システムの概略構造図である。
【図８ａ】本出願の実施形態によるネットワークデバイスの概略構造図である。
【図８ｂ】本出願の実施形態によるネットワークデバイスの概略構造図である。
【図９ａ】本出願の実施形態による端末デバイスの概略構造図である。
【図９ｂ】本出願の実施形態による端末デバイスの概略構造図である。
【図１０】本出願の実施形態による通信システムの概略構造図である。
【発明を実施するための形態】
【００６８】
以降では、本明細書の添付の図面を参照しながら本出願の実施形態について詳細に記述している。
【００６９】
本出願の実施形態は、ＮＢ−ＩｏＴシステムなどのＬＴＥシステムに適用され得、またはグローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎ、ＧＳＭ）、ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、および新たなネットワークシステムなどのその他の通信システムに適用され得る。
【００７０】
本出願の実施形態において言及されているネットワークデバイスは、基地局、アクセスポイント、または、アクセスネットワーク内にあって１つまたは複数のセクタを使用することによってエアインターフェースを介してワイヤレス端末と通信するデバイスであり得る。ネットワークデバイスが基地局である場合には、基地局は、受信された無線フレームおよびインターネットプロトコル（Ｉｎｔｅｒｎｅｔ  Ｐｒｏｔｏｃｏｌ、ＩＰ）パケットを相互に変換して、ワイヤレス端末と、アクセスネットワークの残りの部分との間におけるルータとしての役割を果たすように構成され得る。アクセスネットワークの残りの部分は、ＩＰネットワークを含み得る。基地局は、エアインターフェース上の属性管理を調整するようにさらに構成され得る。たとえば、基地局は、ＧＳＭまたはＣＤＭＡシステムにおけるベーストランシーバステーション（Ｂａｓｅ  Ｔｒａｎｓｃｅｉｖｅｒ  Ｓｔａｔｉｏｎ、ＢＴＳ）であり得、またはワイドバンド符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）におけるノードＢ（ＮｏｄｅＢ）であり得、またはＬＴＥシステムにおけるエボルブドノードＢ（ｅｖｏｌｕｔｉｏｎａｌ  Ｎｏｄｅ  Ｂ、ｅＮＢ）であり得る。これは、本出願の実施形態においては限定されない。
【００７１】
本出願の実施形態における端末デバイスは、ユーザに音声および／もしくはデータ接続性を提供するデバイス、ワイヤレス接続機能を有するハンドヘルドデバイス、またはワイヤレスモデムに接続されている別の処理デバイスであり得る。端末は、さらにワイヤレス端末であり得る。ワイヤレス端末は、無線アクセスネットワーク（Ｒａｄｉｏ  Ａｃｃｅｓｓ  Ｎｅｔｗｏｒｋ、ＲＡＮ）を通じて１つまたは複数のコアネットワークと通信し得る。ワイヤレス端末は、モバイル電話（もしくは「セルラー」電話と呼ばれている）などのモバイル端末、またはモバイル端末を有するコンピュータであり得る。たとえば、モバイル端末を有するコンピュータは、無線アクセスネットワークとの間で言葉および／またはデータをやり取りすることが可能である、ポータブルな、ポケットサイズの、ハンドヘルドの、もしくはコンピュータ内蔵のモバイル装置、または車載のモバイル装置であり得る。たとえば、ワイヤレス端末は、代替として、パーソナル通信サービス（Ｐｅｒｓｏｎａｌ  Ｃｏｍｍｕｎｉｃａｔｉｏｎ  Ｓｅｒｖｉｃｅ、ＰＣＳ）電話、コードレス電話セット、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、または携帯情報端末（Ｐｅｒｓｏｎａｌ  Ｄｉｇｉｔａｌ  Ａｓｓｉｓｔａｎｔ、ＰＤＡ）などのデバイスであり得る。ワイヤレス端末は、システム、サブスクライバーユニット（Ｓｕｂｓｃｒｉｂｅｒ  Ｕｎｉｔ）、サブスクライバーステーション（Ｓｕｂｓｃｒｉｂｅｒ  Ｓｔａｔｉｏｎ）、移動局（Ｍｏｂｉｌｅ  Ｓｔａｔｉｏｎ）、モバイルコンソール（Ｍｏｂｉｌｅ）、リモートステーション（Ｒｅｍｏｔｅ  Ｓｔａｔｉｏｎ）、アクセスポイント（Ａｃｃｅｓｓ  Ｐｏｉｎｔ、ＡＰ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）と呼ばれることもある。これは、本出願の実施形態においては限定されない。
【００７２】
本出願の実施形態における基準信号は、ＣＲＳであり得、またはＮＢ−ＩｏＴシステムにおけるＮＲＳであり得るということを理解されたい。これは、本明細書においては限定されない。
【００７３】
本出願の実施形態においては、セルの信号強度を示すために第１の受信電力が使用される。具体的には、第１の受信電力は、セル選択、セル再選択、アップリンク電力制御などのために使用され得る。セル選択の目的は、端末デバイスが適切なセル上にキャンプすることを可能にすることである。セル再選択の目的は、端末デバイスが最良のサービングセル上にキャンプすることを可能にすることである。アップリンク電力制御の目的は、端末デバイスのアップリンク伝送電力を制御することである。加えて、ＮＢ−ＩｏＴシステムにおいては、第１の受信電力は、カバレッジレベル選択などのためにさらに使用される。カバレッジレベル選択は、端末デバイスが、ナローバンド物理ランダムアクセスチャネル（Ｎａｒｒｏｗｂａｎｄ  Ｐｈｙｓｉｃａｌ  Ｒａｎｄｏｍ  Ａｃｃｅｓｓ  Ｃｈａｎｎｅｌ、ＮＰＲＡＣＨ）の繰り返し時間の量をさらに決定するために、第１の受信電力を使用することによって端末デバイスのカバレッジレベルを測定することを意味する。
【００７４】
本出願の実施形態においては、ネットワークデバイスは、入手された第１の表示情報を端末デバイスへ送信し得、それによって端末デバイスは、第１の表示情報を使用することによって第１の受信電力を決定し得、端末デバイスはさらに、セルの信号強度をより正確に測定し得、それにより、通信プロセスにおける信号伝送品質を改善するのを支援する。
【００７５】
説明を容易にするために、本出願の実施形態においては、ネットワークデバイスが基地局である例が、詳細な説明のために使用されている。これは、本出願の実施形態において列挙されている例にすぎず、本出願は、この例を含むが、それには限定されない。
【００７６】
具体的には、図１は、本出願の実施形態による通信システムの概略構造図である。この通信システムは、基地局および端末デバイスを含む。
【００７７】
図１において示されている通信システムのアーキテクチャーは、本出願の実施形態を詳細に記述するための例として使用されている。
【００７８】
図２において示されているように、本出願の実施形態は、下記のステップを含む受信電力測定方法を提供する。
【００７９】
ステップ２１０：  基地局が、第１の表示情報を入手し、第１の表示情報を端末デバイスへ送信し、端末デバイスは、第１の表示情報を受信し、第１の表示情報は、第１の信号の伝送電力と基準信号の伝送電力との間における大きさ関係を示すために使用され、または第１の表示情報は、第１の信号の伝送電力を示すために使用され、第１の信号は、同期信号、測位基準信号、およびブロードキャスト信号のうちの少なくとも１つであり得る。
【００８０】
同期信号は、プライマリー同期信号（Ｐｒｉｍａｒｙ  Ｓｙｎｃｈｒｏｎｉｚａｔｉｏｎ  Ｓｉｇｎａｌ、ＰＳＳ）およびセカンダリー同期信号（Ｓｅｃｏｎｄａｒｙ  Ｓｙｎｃｈｒｏｎｉｚａｔｉｏｎ  Ｓｉｇｎａｌ、ＳＳＳ）を含むということに留意されたい。本出願のこの実施形態においては、第１の信号は、独立してＰＳＳ、ＳＳＳ、測位基準信号、もしくはブロードキャスト信号であり得、またはＳＳＳおよび測位基準信号であり得る、といった具合である。第１の信号内に含まれる信号の量は、本出願のこの実施形態においては限定されない。
【００８１】
ステップ２２０：  端末デバイスは、第１の表示情報、第１の信号の受信電力、および基準信号の受信電力に基づいて第１の受信電力を決定する。
【００８２】
本出願のこの実施形態においては、端末デバイスが、第１の受信電力を測定するために第１の信号を導入する場合で、かつ第１の信号および基準信号が同じセルの信号である場合には、そのセルの信号強度は、入手された第１の受信電力を使用することによって、より正確に測定されることが可能である。
【００８３】
端末デバイスがサービングセルの第１の受信電力を測定する際には、第１の信号および基準信号は、サービングセルの信号である。端末デバイスは、第１の受信電力を決定するために、第１の信号の伝送電力と基準信号の伝送電力との間における大きさ関係を使用することを必要とする。しかしながら、従来技術においては、第１の受信電力を測定するプロセスにおいて、基地局は、基準信号の伝送電力を端末デバイスへ既に送信している。したがって、第１の受信電力が本出願のこの実施形態における測定様式で測定される場合には、基地局は、第１の信号の伝送電力を示すために使用される第１の表示情報のみを端末デバイスに通知し得る。このケースにおいては、端末デバイスは、基準信号の伝送電力と第１の信号の伝送電力とに基づいて、第１の信号の伝送電力と基準信号の伝送電力との間における大きさ関係を決定することが可能である。加えて、代替として、基地局は、第１の信号の伝送電力と基準信号の伝送電力との間における大きさ関係を決定した後に、第１の信号の伝送電力と基準信号の伝送電力との間における大きさ関係を示す第１の表示情報を端末デバイスに直接通知して、端末デバイスのオペレーションを低減し得る。したがって、サービングセルの第１の受信電力の測定のために、第１の表示情報は、第１の信号の伝送電力と基準信号の伝送電力との間における大きさ関係を示すために使用され得、または第１の表示情報は、第１の信号の伝送電力を示すために使用され得る。
【００８４】
特定の実施中に、第１の表示情報は、基準信号の伝送電力に対する第１の信号の伝送電力の比率、もしくは第１の信号の伝送電力と基準信号の伝送電力との間における差であり得、または第１の表示情報は、第１の信号の伝送電力であり、または第１の表示情報は、第１の指数であり得、第１の指数は、第１の信号の伝送電力、もしくは第１の信号の伝送電力と基準信号の伝送電力との間における大きさ関係を指数化するために使用される。
【００８５】
たとえば、第１の表示情報が基準信号の伝送電力に対する第１の信号の伝送電力の比率である場合には、その比率は、次のとおりであり得る。第１の信号の伝送電力が分子である場合には、基準信号の伝送電力は分母であり、または第１の信号の伝送電力が分母である場合には、基準信号の伝送電力は分子である。第１の表示情報が第１の信号の伝送電力と基準信号の伝送電力との間における差である場合には、その差は、次のとおりであり得る。基準信号の伝送電力が第１の信号の伝送電力から差し引かれ、または第１の信号の伝送電力が基準信号の伝送電力から差し引かれる。第１の表示情報が指数である場合には、第１の指数が基準信号の受信電力に対する第１の信号の受信電力の比率に対応する例が使用される。たとえば、基準信号の受信電力に対する第１の信号の受信電力の比率が１．２である場合には、対応する指数は５である。指数と比率との間における対応が、表１において示されており、端末デバイスおよびネットワークデバイスにおいて事前に構成され得る。加えて、指数と比率との間における対応の表が、代替としてネットワークデバイスにおいて事前に構成され得、ネットワークデバイスおよび端末デバイスが同じ対応表を使用するならば、ネットワークデバイスによって端末デバイスへ配信される。具体的な実施態様は、本明細書においては限定されない。第１の表示情報が第１の信号の受信電力と基準信号の受信電力との間における差である場合には、状況は同様であり、詳細がここで再び記述されることはない。
【００８６】
【表１】
0006923672.tif 000003
【００８７】
サービングセルに関して、基地局は、第１の表示情報をシステムメッセージまたは別の無線リソース制御（Ｒａｄｉｏ  Ｒｅｓｏｕｒｃｅ  Ｃｏｎｔｒｏｌ、ＲＲＣ）シグナリングなど、より高いレイヤのシグナリングに付加して、そのシグナリングを端末デバイスへ送信し得る。
【００８８】
加えて、ステップ２００において、基地局によって入手される第１の表示情報が、基地局によって決定される。
【００８９】
端末デバイスが隣接セルの第１の受信電力を測定する際には、第１の信号および基準信号は、隣接セルの信号である。しかしながら、従来技術においては、第１の受信電力を測定するプロセスにおいて、端末デバイスは通常、隣接セルにおける基準信号の伝送電力を入手することが不可能である。したがって、本出願のこの実施形態においては、端末デバイスが隣接セルの第１の受信電力を測定することを可能にするために、基地局によって端末デバイスへ送信される第１の表示情報が、第１の信号の伝送電力と基準信号の伝送電力との間における大きさ関係を示すために使用される。端末デバイスが基準信号の伝送電力を入手することが可能である場合には、第１の表示情報は、代替として、第１の信号の伝送電力のみを示すために使用され得る。
【００９０】
特定の実施中に、第１の表示情報は、基準信号の伝送電力に対する第１の信号の伝送電力の比率、もしくは第１の信号の伝送電力と基準信号の伝送電力との間における差であり得、または第１の表示情報は、第１の信号の伝送電力であり、または第１の表示情報は、第２の指数であり、第２の指数は、第１の信号の伝送電力と基準信号の伝送電力との間における大きさ関係を指数化するために使用される。加えて、第１の表示情報は、代替として、第１の信号の伝送電力および基準信号の伝送電力であり得る、といった具合である。これは、本明細書においては限定されない。
【００９１】
たとえば、第１の表示情報が基準信号の伝送電力に対する第１の信号の伝送電力の比率である場合には、その比率は、次のとおりであり得る。第１の信号の伝送電力が分子である場合には、基準信号の伝送電力は分母であり、または基準信号の伝送電力が分子である場合には、第１の信号の伝送電力は分母である。第１の表示情報が第１の信号の伝送電力と基準信号の伝送電力との間における差である場合には、その差は、次のとおりであり得る。基準信号の伝送電力が第１の信号の伝送電力から差し引かれ、または第１の信号の伝送電力が基準信号の伝送電力から差し引かれる。第１の表示情報が指数である場合に、具体的な実施形式に関しては、サービングセルの第１の受信電力が測定される場合に第１の表示情報が指数である実施態様を参照されたい。詳細がここで再び記述されることはない。
【００９２】
隣接セルに関して、基地局は、第１の表示情報をシステムメッセージまたは別のＲＲＣシグナリングなど、より高いレイヤのシグナリングに付加して、そのシグナリングを端末デバイスへ送信し得る。基地局が第１の表示情報をシステムメッセージに付加する場合に、そのシステムメッセージは、具体的には、システム情報ブロック（Ｓｙｓｔｅｍ  Ｉｎｆｏｒｍａｔｉｏｎ  Ｂｌｏｃｋ、ＳＩＢ）４またはＳＩＢ５であり得る。これは、本明細書においては限定されない。
【００９３】
加えて、隣接セルに関して、ステップ２００において基地局によって入手される第１の表示情報が、隣接セルの基地局によって決定され、次いでサービングセルの基地局へ送信される。あるいは、隣接セルの基地局は、対応するパラメータ情報をサービングセルの基地局へ送信し得、サービングセルの基地局は、第１の表示情報を決定し、次いで第１の表示情報を端末デバイスへ送信する。これは、本明細書においては限定されない。
【００９４】
第１の表示情報は、端末デバイスによって隣接セルから直接入手されず、その代わりに、サービングセルの基地局によって端末デバイスへ送信されて、サービングセルにおける信号が隣接セルにおける第１の表示情報の信号に大きく干渉する場合、たとえば、端末デバイスがサービングセルの中央に配置されている場合に端末デバイスがデコーディングを通じて第１の表示情報を正しく入手することが不可能であるケースを回避し、それにより、端末デバイスによって第１の表示情報を入手する正確さを改善しながら端末デバイスの電力消費を低減する。
【００９５】
本出願のこの実施形態においては、サービングセルは、端末デバイスが現在配置されているセルであり、隣接セルは、隣接セルリストにおけるセル識別子によって示されるセルであるということに留意されたい。隣接セルリストは、基地局によって構成される。隣接セルリストは通常、システムメッセージを使用することによって端末デバイスへ送信される。加えて、本出願のこの実施形態においては、隣接セルは、代替として、サービングセルに地理的に隣接しているセルであり得る。前述の説明は、本出願においてはサービングセルおよび隣接セルに適用可能であり、詳細が以降で再び記述されることはない。
【００９６】
加えて、本出願のこの実施形態においては、第１の表示情報は、サービングセルにおける第１の信号の伝送電力とサービングセルにおける基準信号の伝送電力との間における大きさ関係を示す情報のみを含み得、またはサービングセルにおける第１の信号の伝送電力に関する情報のみを含み得、または隣接セルにおける第１の信号の伝送電力と隣接セルにおける基準信号の伝送電力との間における大きさ関係を示す情報のみを含み得る。特定の実施中に、シグナリングオーバーヘッドを低減するために、第１の表示情報は、サービングセルにおける第１の信号の伝送電力とサービングセルにおける基準信号の伝送電力との間における大きさ関係を示す情報を含むだけでなく、隣接セルにおける第１の信号の伝送電力と隣接セルにおける基準信号の伝送電力との間における大きさ関係を示す情報も含み得る。あるいは、第１の表示情報は、サービングセルにおける第１の信号の伝送電力に関する情報を含むだけでなく、隣接セルにおける第１の信号の伝送電力と基準信号の伝送電力との間における大きさ関係を示す情報も含む。これは、本明細書においては限定されない。
【００９７】
第１の表示情報は、別々の隣接セルにおける第１の信号の伝送電力と基準信号の伝送電力との間における大きさ関係を示す一片または複数片の情報を含み得る。
【００９８】
第１の表示情報が複数片の表示情報を含む場合には、第１の表示情報を送信することの特定の実施中に、基地局は、第１の表示情報を一片のシグナリングに付加して、そのシグナリングを端末デバイスへ送信する。あるいは、基地局は、第１の表示情報の一部分を第１のシグナリングに付加して、第１のシグナリングを端末デバイスへ送信し、第１の表示情報の残りの部分を第２のシグナリングに付加して、第２のシグナリングを端末デバイスへ送信し得る。第１のシグナリングおよび第２のシグナリングは異なる。第１の表示情報を搬送する送信されるシグナリングの量は、本出願のこの実施形態においては限定されない。
【００９９】
たとえば、第１の表示情報は、第１のパラメータ値および第２のパラメータ値を含み、第１のパラメータ値は、第１の指数であり、または第１のパラメータ値は、サービングセルにおける基準信号の伝送電力に対する第１の信号の伝送電力の比率、もしくはサービングセルにおける第１の信号の伝送電力と基準信号の伝送電力との間における差であり、第２のパラメータ値は、第２の指数であり、または第２のパラメータ値は、隣接セルにおける基準信号の伝送電力に対する第１の信号の伝送電力の比率、もしくは隣接セルにおける第１の信号の伝送電力と基準信号の伝送電力との間における差である。
【０１００】
第１の表示情報は、第１のパラメータ値および第２のパラメータ値を含む。任意選択で、基地局は、第２の表示情報を端末へ送信して、第１のパラメータ値が第２のパラメータ値と同じであるかどうかを端末デバイスに示す。
【０１０１】
第１のパラメータ値が第２のパラメータ値と同じであるかどうかを第２の表示情報が端末デバイスに示す際に、第１のパラメータ値のオペレーションルールは通常、第２のパラメータ値のオペレーションルールと同じであるということに留意されたい。たとえば、サービングセルに関して、第１の伝送電力がＷ１であり、第２の伝送電力がＷ２である場合には、第１のパラメータ値はＷ１／Ｗ２である。隣接セルに関して第２のパラメータ値がＷ１／Ｗ２である場合には、第１のパラメータ値のオペレーションルールは、第２のパラメータのオペレーションルールと同じである。サービングセルに関して第１のパラメータ値がＷ１／Ｗ２であり、隣接セルに関して第２のパラメータ値がＷ２／Ｗ１であり、または隣接セルに関して第２のパラメータ値が（基準信号の伝送電力−第１の信号の伝送電力）である場合には、第１のパラメータ値のオペレーションルールは、第２のパラメータのオペレーションルールとは異なる。
【０１０２】
加えて、第１のパラメータ値が第１の指数であり、第２のパラメータ値が第２の指数である場合に、たとえば、第１の指数が基準信号の伝送電力に対する第１の信号の伝送電力の比率に対応し、第２の指数が第１の信号の伝送電力と基準信号の伝送電力との間における差に対応するならば、第１の指数のオペレーションルールは、第２の指数のオペレーションルールとは異なる。第１の指数がＷ１／Ｗ２に対応し、第２の指数もＷ１／Ｗ２に対応する場合には（この場合、第１の伝送電力がＷ１であり、第２の伝送電力がＷ２である）、第１の指数のオペレーションルールは、第２の指数のオペレーションルールと同じである。
【０１０３】
たとえば、特定の実施中に、第２の表示情報は、１ビットを使用することによって示され得る。たとえば、１ビットの表示情報が、それぞれの隣接セルのパラメータ値を搬送するリソースに付加される。図３において示されているように、ＳＩＢ４においては、隣接セル１のパラメータ値がリソースロケーション１において搬送され、隣接セル２のパラメータ値がリソースロケーション２において搬送され、隣接セル３のパラメータ値がリソースロケーション４において搬送される。隣接セル１のパラメータ値がサービングセルのパラメータ値と同じである場合には、二進数「１」が、表示のために使用される。隣接セル１のパラメータ値が０１０１であると想定すると、１ビット情報「１」が、隣接セル１のパラメータ値０１０１の終わりのロケーションの後に、または始まりのロケーションの前に付加される。たとえば、１ビット情報「１」が０１０１の始まりのロケーションの前に付加される場合には、リソースロケーション１に付加される情報は、１０１０１である。パラメータ値における第２の表示情報のロケーションは、本出願においては限定されない。隣接セル１のパラメータ値がサービングセルのパラメータ値とは異なる場合には、隣接セル１のパラメータ値がサービングセルのパラメータ値と同じであるということを示す特定の値が、隣接セル１のパラメータ値がサービングセルのパラメータ値とは異なるということを示す特定の値とは異なるならば、二進数「０」が、表示のために使用され得る。第２の表示情報を搬送するビットの量は、本出願のこの実施形態においては限定されない。
【０１０４】
あるいは、１つのビットマップが、ＭＩＢ、ＳＩＢ、またはＲＲＣシグナリングにおいて搬送され得、そのビットマップにおけるそれぞれのビットは、１つの隣接セルのビット値がサービングセルのビット値と同じであるかどうかを示すために使用される。たとえば、そのビットマップは１０１であり、この場合、第１のビットにおける１および第３のビットにおける１はそれぞれ、隣接セル１のパラメータ値および隣接セル３のパラメータ値がサービングセルのパラメータ値と同じであるということを示すために使用され、第２のビットにおける０は、隣接セル２のパラメータ値がサービングセルのパラメータ値とは異なるということを示すために使用される。具体的には、この実施態様においては、第１の表示情報および第２の表示情報はそれぞれ、別々のシグナリングメッセージにおいて搬送され得、または同じシグナリングメッセージにおいて搬送され得る。これは、特に限定されない。
【０１０５】
ステップ２２０においては、端末デバイスが第１の表示情報を受信した後に、特定の実施中に、端末デバイスは、第１の表示情報、第１の信号の受信電力、および基準信号の受信電力に基づいて、または従来技術における、基準信号の受信電力を測定することによって第１の受信電力を直接決定する様式で第１の受信電力を決定し得るということに留意されたい。これは、本出願のこの実施形態においては限定されない。
【０１０６】
端末デバイスによってセルの信号強度を測定する正確さを改善するために、任意選択で、端末デバイスは、第１の表示情報、第１の信号の受信電力、および基準信号の受信電力に基づいて第１の受信電力を決定する。
【０１０７】
具体的には、第１の受信電力は、第１の信号の受信電力と基準信号の受信電力との線形平均である。
【０１０８】
たとえば、第１の表示情報が基準信号の伝送電力に対する第１の信号の伝送電力の比率である場合には、端末デバイスは、第１の表示情報に基づいて第１の係数および第２の係数を決定し、第１の係数、第２の係数、第１の信号の受信電力、および基準信号の受信電力に基づいて第１の受信電力を決定する。第１の係数は、第１の信号の受信電力の重みであり、第２の係数は、基準信号の受信電力の重みである。
【０１０９】
任意選択で、端末デバイスは、基準信号の伝送電力に対する第１の信号の伝送電力の比率に基づいて第１の係数および第２の係数を決定する。端末デバイスは、下記の式に従って第１の信号の受信電力と基準信号の受信電力との線形平均Ｗ0を決定し、Ｗ0は第１の受信電力である。
Ｗ0＝σ1・Ｗ1＋σ2・Ｗ2、この場合、
【０１１０】
σ1は第１の係数であり、σ2は第２の係数であり、Ｗ1は第１の信号の受信電力であり、Ｗ2は基準信号の受信電力である。たとえば、
【０１１１】
【数２】
0006923672.tif 000004
【０１１２】
である場合には、σ1＝０．３であり、σ2＝０．７である。
【０１１３】
たとえば、第１の表示情報が第１の信号の伝送電力と基準信号の伝送電力との間における差である場合には、端末デバイスは、第１の信号の伝送電力と基準信号の伝送電力との間における差に基づいて第１の係数および第２の係数を決定する。第１の係数および第２の係数は、差、第１の係数、および第２の係数の間における事前に構成されている対応の表に基づいて決定され得る。たとえば、表２は、差、第１の係数、および第２の係数の間における対応を示している。
【０１１４】
【表２】
0006923672.tif 000005
【０１１５】
第１の信号の伝送電力と基準信号の伝送電力との間における差が１である場合には、第１の係数は０．６であり、第２の係数は０．４である。
【０１１６】
加えて、たとえば、第１の表示情報が、
【０１１７】
【数３】
0006923672.tif 000006
【０１１８】
を示すために使用される場合には（この場合、Ｗ1は第１の信号の受信電力であり、Ｗ2は基準信号の受信電力である）、第１の信号の受信電力と基準信号の受信電力との線形平均Ｗ0は、下記の式に従って決定され得、Ｗ0は第１の受信電力である。
【０１１９】
【数４】
0006923672.tif 000007
【０１２０】
、この場合、
【０１２１】
Ｋは、第１の信号および基準信号を搬送するＲＥの総量である。この例においては、Ｗ1−Ａは、第１の信号の受信電力および基準信号の受信電力を増減または調整するために使用される。加えて、第１の信号の受信電力および基準信号の受信電力を増減または調整する様式は、本出願のこの実施形態においては限定されない。
【０１２２】
第１の表示情報、第１の信号の受信電力、および基準信号の受信電力に基づいて第１の受信電力を決定することの実施態様は、本出願のこの実施形態においては限定されないということに留意されたい。前述の内容は、説明のための例にすぎない。
【０１２３】
端末デバイスが第２の表示情報を受信した場合には、端末デバイスは、下記の様式に基づいて第１の受信電力を決定し得る。
【０１２４】
端末デバイスは、第１の表示情報における第１のパラメータ値と、サービングセル内にある第１の信号の受信電力および基準信号の受信電力とに基づいてサービングセルの第１の受信電力を決定し、第１のパラメータ値が第２のパラメータ値と同じであるということを第２の表示情報が示している場合に、第１のパラメータ値と、隣接セル内にある第１の信号の受信電力および基準信号の受信電力とに基づいて隣接セルの第１の受信電力を決定し、または第１のパラメータ値が第２のパラメータ値とは異なるということを第２の表示情報が示している場合に、第１の表示情報における第２のパラメータ値と、隣接セル内にある第１の信号の受信電力および基準信号の受信電力とに基づいて隣接セルの第１の受信電力を決定する。
【０１２５】
たとえば、第１のパラメータ値および第２のパラメータ値の両方が０．５である場合には、隣接セルの第１の受信電力は、第１のパラメータ値と、隣接セル内にある第１の信号の受信電力および基準信号の受信電力とに基づいて決定される。具体的な実施態様は、前述の実施態様と同様であり、詳細がここで再び記述されることはない。
【０１２６】
加えて、ＮＢ−ＩｏＴシステムにおけるインバンド展開モードにおいては、第１の信号はさらに、ＣＲＳであり得、２つのシナリオ、すなわち、同じ物理セル識別子（Ｐｈｙｓｉｃａｌ  Ｃｅｌｌ  Ｉｄｅｎｔｉｆｉｅｒ、ＰＣＩ）のシナリオおよび異なるＰＣＩのシナリオが、インバンド展開モードにおける分類を通じて入手され得る。インバンド展開モードは、ＮＢ−ＩｏＴシステムにおいて使用される周波数帯域が、従来のＬＴＥシステムにおいて使用される周波数帯域の周波数サブバンドであるということを意味している。したがって、ＮＢ−ＩＯＴシステムがＮＲＳの受信電力を測定する場合には、ＬＴＥにおけるＣＲＳが測定のために導入されることが可能である。具体的には、サービングセルの同じＰＣＩのシナリオにおいては、基地局は、Ｐ−ＣＩＤ、ポート量、電力オフセット、およびＲＢ指数など、ＣＲＳの関連したパラメータを端末デバイスに提供し得る。電力オフセットは、ＳＩＢ１において搬送され、ＲＢ指数は、ＭＩＢにおいて搬送され、それによって端末デバイスは、電力オフセットに基づいてＣＲＳの伝送電力を入手し得る。したがって、端末デバイスが同じＰＣＩのシナリオにおいて第１の受信電力を測定する、図２において示されている様式における第１の信号はさらに、ＣＲＳであり得る。しかしながら、異なるＰＣＩのシナリオにおいては、既存のメカニズムにおいて、基地局は、ＬＴＥシステムにおけるＣＲＳのものであるＰ−ＣＩＤ、電力オフセット、およびＲＢ指数を端末デバイスに提供することが不可能である。したがって、サービングセルに関する異なるＰＣＩのシナリオにおいては、サービングセルの基地局は、ＬＴＥシステムにおけるセルのものであるＰ−ＣＩＤ、電力オフセット、およびＲＢ指数を示す情報を端末デバイスへ送信する。隣接セルに関する異なるＰＣＩのシナリオにおいては、サービングセルの基地局は、ＬＴＥシステムにおける隣接セルのものであるＰ−ＣＩＤ、電力オフセット、およびＲＢ指数を示す情報を端末デバイスへ送信する。隣接セルに関する同じＰＣＩのシナリオにおいては、サービングセルの基地局は、ＬＴＥシステムにおける隣接セルのものであるＰ−ＣＩＤ、電力オフセット、およびＲＢ指数を示す情報を端末デバイスへ送信する。ＣＲＳのものであるＰ−ＣＩＤ、電力オフセット、およびＲＢ指数を入手した後に、端末デバイスは、ＣＲＳのコンテンツ、ロケーション、および電力を決定することが可能であり、したがって、図２において示されている、第１の受信電力を測定する様式でＣＲＳおよびＮＲＳに基づいて第１の受信電力を入手することが可能である。
【０１２７】
図４において示されているように、本出願の例は、下記のステップを含む表示情報伝送方法をさらに提供する。
【０１２８】
ステップ４１０：  基地局が、第３の表示情報を決定し、第３の表示情報を端末デバイスへ送信し、端末デバイスは、基地局によって送信された第３の表示情報を受信し、第３の表示情報は、第１の受信電力の測定様式を端末デバイスに示すために使用され、第１の受信電力は、セルの信号強度を示すために使用される。
【０１２９】
ステップ４２０：  端末デバイスは、第３の表示情報によって端末デバイスに示される第１の受信電力の測定様式で第１の受信電力を測定する。
【０１３０】
基地局は、第１の受信電力の測定様式を端末デバイスに示し、それによって端末デバイスは、基地局によって示される測定様式で第１の受信電力を測定することが可能であり、それにより、端末デバイスの電力消費を低減するのを支援する。
【０１３１】
任意選択で、端末デバイスに関する第１の受信電力の測定様式は、基準信号に基づく測定、基準信号および第１の信号に基づく測定、ならびに第１の信号に基づく測定を含む。基準信号に基づく測定中には、基準信号の受信電力が、第１の受信電力として使用され得、基準信号および第１の信号に基づく測定中には、第１の受信電力は、基準信号の受信電力および第１の信号の受信電力に基づいて決定され、第１の信号に基づく測定中には、第１の受信電力は、第１の信号の受信電力に基づいて決定される。
【０１３２】
たとえば、本出願のこの実施形態においては、基準信号に基づく測定は、従来技術における基準信号の受信電力の測定様式と同じであり得、基準信号および第１の信号に基づく測定は、図２において示されている第１の受信電力の測定様式と同じであり得、第１の信号に基づく測定中には、従来技術における基準信号に基づく測定における基準信号が、第１の信号と置き換えられ得る。
【０１３３】
たとえば、本出願のこの実施形態は、基準信号の測定様式を端末デバイスに示すための特定の方法を提供する。
【０１３４】
基地局は、端末デバイスのアップリンク信号の受信電力を決定する。アップリンク信号の受信電力とプリセット予測値との間におけるずれがプリセットしきい値を超えている場合には、第３の表示情報によって示される第１の受信電力の測定様式は、第１の信号および基準信号に基づく測定であるということが決定され、またはアップリンク信号の受信電力とプリセット予測値との間におけるずれがプリセットしきい値を超えていない場合には、第３の表示情報を使用することによって示される第１の受信電力の測定様式は、基準信号に基づく測定または第１の信号に基づく測定であるということが決定される。
【０１３５】
端末デバイスが貧弱なチャネル環境にある場合には、基地局は、第１の信号および基準信号に基づいて第１の受信電力を測定するように端末デバイスに指示し得、端末デバイスが良好なチャネル環境にある場合には、第１の信号または基準信号に基づいて第１の受信電力を測定するように端末デバイスに指示し得、それによって、端末デバイスの電力消費を低減するのを支援し、セルの信号強度を測定する正確さを改善するのを支援する。
【０１３６】
同じコンセプトに基づいて、本出願の実施形態は、ネットワークデバイスをさらに提供し、このネットワークデバイスは、前述の方法実施形態におけるネットワークデバイスのアクションまたは機能を実行するように構成されている。
【０１３７】
同じコンセプトに基づいて、本出願の実施形態は、端末デバイスをさらに提供し、この端末デバイスは、前述の方法実施形態における端末デバイスのアクションまたは機能を実行するように構成されている。
【０１３８】
本出願の実施形態は、前述の実施形態におけるネットワークデバイスおよび端末デバイスを含む通信システムをさらに提供する。
【０１３９】
簡潔にするために、装置部分における内容に関しては、具体的には方法実施形態を参照されたい。詳細が繰り返し記述されることはない。
【０１４０】
図５ａにおいて示されているように、本出願の実施形態におけるネットワークデバイス５００ａは、処理モジュール５１０ａおよびトランシーバモジュール５２０ａを含む。処理モジュール５１０ａは、第１の表示情報を入手するように構成されている。第１の表示情報は、第１の信号の伝送電力と基準信号の伝送電力との間における大きさ関係を示すために使用され、または第１の表示情報は、第１の信号の伝送電力を示すために使用され、第１の信号は、同期信号、測位基準信号、およびブロードキャスト信号のうちの少なくとも１つである。トランシーバモジュール５２０ａは、処理モジュールによって入手された第１の表示情報を端末デバイスへ送信するように構成されている。
【０１４１】
可能な設計においては、第１の信号および基準信号は、サービングセルの信号である。
【０１４２】
第１の表示情報は、基準信号の伝送電力に対する第１の信号の伝送電力の比率、もしくは第１の信号の伝送電力と基準信号の伝送電力との間における差であり、または第１の表示情報は、第１の信号の伝送電力であり、または第１の表示情報は、第１の指数であり、第１の指数は、第１の信号の伝送電力、もしくは第１の信号の伝送電力と基準信号の伝送電力との間における大きさ関係を指数化するために使用される。
【０１４３】
可能な設計においては、第１の信号および基準信号は、隣接セルの信号であり、第１の表示情報は、基準信号の伝送電力に対する第１の信号の伝送電力の比率、もしくは第１の信号の伝送電力と基準信号の伝送電力との間における差であり、または第１の表示情報は、第２の指数であり、第２の指数は、第１の信号の伝送電力と基準信号の伝送電力との間における大きさ関係を指数化するために使用される。
【０１４４】
可能な設計においては、第１の表示情報は、第１のパラメータ値および第２のパラメータ値を含み、第１のパラメータ値は、第１の指数であり、第１の指数は、第１の信号の伝送電力、もしくは第１の信号の伝送電力と基準信号の伝送電力との間における大きさ関係を指数化するために使用され、または第１のパラメータ値は、サービングセルにおける基準信号の伝送電力に対する第１の信号の伝送電力の比率、もしくはサービングセルにおける第１の信号の伝送電力と基準信号の伝送電力との間における差であり、第２のパラメータ値は、第２の指数であり、第２の指数は、第１の信号の伝送電力と基準信号の伝送電力との間における大きさ関係を指数化するために使用され、または第２のパラメータ値は、隣接セルにおける基準信号の伝送電力に対する第１の信号の伝送電力の比率、もしくは隣接セルにおける第１の信号の伝送電力と基準信号の伝送電力との間における差である。
【０１４５】
可能な設計においては、トランシーバモジュール５２０ａは、第２の表示情報を端末デバイスへ送信するようにさらに構成されており、第２の表示情報は、第１のパラメータ値が第２のパラメータ値と同じであるかどうかを示すために使用される。
【０１４６】
本出願のこの実施形態においては、処理モジュール５１０ａは、プロセッサによって実施され得、トランシーバモジュール５２０ａは、トランシーバによって実施され得るということに留意されたい。図５ｂにおいて示されているように、ネットワークデバイス５００ｂは、プロセッサ５１０ｂ、トランシーバ５２０ｂ、およびメモリ５３０ｂを含み得る。メモリ５３０ｂは、基地局５００ｂが配達される際に事前にインストールされるプログラム／コードを格納するように構成され得、またはプロセッサ５１０ｂによって実行されることになるコードなどを格納するように構成され得る。
【０１４７】
プロセッサ５１０ｂは、汎用中央処理装置（Ｃｅｎｔｒａｌ  Ｐｒｏｃｅｓｓｉｎｇ  Ｕｎｉｔ、ＣＰＵ）、マイクロプロセッサ、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、または１つもしくは複数の集積回路であり得、本出願のこの実施形態において提供されている技術的なソリューションを実施するために、関連したオペレーションを実行するように構成される。
【０１４８】
図５ｂにおいて示されているネットワークデバイス５００ｂは、特定の実施プロセスにおいて、プロセッサ５１０ｂ、トランシーバ５２０ｂ、およびメモリ５３０ｂのみを示しているが、基地局５００ｂは、通常の稼働に必要な別のコンポーネントをさらに含むということを当業者なら理解するはずであるということに留意されたい。加えて、特定の要件に従って、基地局５００ｂは、その他のさらなる機能を実施するためのハードウェアコンポーネントをさらに含み得るということを当業者なら理解するはずである。加えて、基地局５００ｂは、本出願のこの実施形態を実施するために必要なコンポーネントまたはモジュールのみを含み得るが、図５ｂにおいて示されているすべてのコンポーネントを必ずしも含むとは限らないということを当業者なら理解するはずである。
【０１４９】
これらの実施形態における方法の手順のうちのすべてまたはいくつかは、関連するハードウェアに指示するコンピュータプログラムによって実施され得るということを当技術分野における標準的な技術者なら理解し得る。そのプログラムは、コンピュータ可読ストレージメディア内に格納され得る。そのプログラムが稼働するときに、これらの実施形態における方法の手順が実行され得る。前述のストレージメディアは、磁気ディスク、光ディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）などを含み得る。
【０１５０】
図６ａにおいて示されているように、本出願の実施形態における端末デバイス６００ａは、処理モジュール６１０ａおよびトランシーバモジュール６２０ａを含む。トランシーバモジュール６２０ａは、ネットワークデバイスによって送信された第１の表示情報を受信するように構成されており、第１の表示情報は、第１の信号の伝送電力と基準信号の伝送電力との間における大きさ関係を示すために使用され、または第１の表示情報は、第１の信号の伝送電力を示すために使用され、第１の信号は、同期信号、測位基準信号、およびブロードキャスト信号のうちの少なくとも１つである。処理モジュール６１０ａは、第１の表示情報、第１の信号の受信電力、および基準信号の受信電力に基づいて第１の受信電力を決定するように構成されている。
【０１５１】
可能な設計においては、第１の信号および基準信号は、サービングセルの信号であり、第１の表示情報は、基準信号の伝送電力に対する第１の信号の伝送電力の比率、もしくは第１の信号の伝送電力と基準信号の伝送電力との間における差であり、または第１の表示情報は、第１の信号の伝送電力であり、または第１の表示情報は、第１の指数であり、第１の指数は、第１の信号の伝送電力、もしくは第１の信号の伝送電力と基準信号の伝送電力との間における大きさ関係を指数化するために使用される。
【０１５２】
可能な設計においては、第１の信号および基準信号は、隣接セルの信号であり、第１の表示情報は、基準信号の伝送電力に対する第１の信号の伝送電力の比率、もしくは第１の信号の伝送電力と基準信号の伝送電力との間における差であり、または第１の表示情報は、第２の指数であり、第２の指数は、第１の信号の伝送電力と基準信号の伝送電力との間における大きさ関係を指数化するために使用される。
【０１５３】
可能な設計においては、第１の受信電力は、第１の信号の受信電力と基準信号の受信電力との線形平均である。
【０１５４】
可能な設計においては、第１の表示情報は、第１のパラメータ値および第２のパラメータ値を含み、第１のパラメータ値は、第１の指数であり、第１の指数は、第１の信号の伝送電力、もしくは第１の信号の伝送電力と基準信号の伝送電力との間における大きさ関係を指数化するために使用され、または第１のパラメータ値は、サービングセルにおける基準信号の伝送電力に対する第１の信号の伝送電力の比率、もしくはサービングセルにおける第１の信号の伝送電力と基準信号の伝送電力との間における差であり、第２のパラメータ値は、第２の指数であり、第２の指数は、第１の信号の伝送電力と基準信号の伝送電力との間における大きさ関係を指数化するために使用され、または第２のパラメータ値は、隣接セルにおける基準信号の伝送電力に対する第１の信号の伝送電力の比率、もしくは隣接セルにおける第１の信号の伝送電力と基準信号の伝送電力との間における差である。
【０１５５】
可能な設計においては、トランシーバモジュール６２０ａは、ネットワークデバイスによって送信された第２の表示情報を受信するようにさらに構成されており、第２の表示情報は、第１のパラメータ値が第２のパラメータ値と同じであるかどうかを示すために使用される。処理モジュール６２０ａは、第１の表示情報における第１のパラメータ値と、サービングセル内にある第１の信号の受信電力および基準信号の受信電力とに基づいてサービングセルの第１の受信電力を決定し、第１のパラメータ値が第２のパラメータ値と同じであるということを第２の表示情報が示している場合に、第１のパラメータ値と、隣接セル内にある第１の信号の受信電力および基準信号の受信電力とに基づいて隣接セルの第１の受信電力を決定し、または第１のパラメータ値が第２のパラメータ値とは異なるということを第２の表示情報が示している場合に、第１の表示情報における第２のパラメータ値と、隣接セル内にある第１の信号の受信電力および基準信号の受信電力とに基づいて隣接セルの第１の受信電力を決定する。
【０１５６】
本出願のこの実施形態においては、処理モジュール６１０ａは、プロセッサによって実施され得、トランシーバモジュール６２０ａは、トランシーバによって実施され得るということに留意されたい。図６ｂにおいて示されているように、端末デバイス６００ｂは、プロセッサ６１０ｂ、トランシーバ６２０ｂ、およびメモリ６３０ｂを含み得る。メモリ６３０ｂは、端末デバイス６００ｂが配達される際に事前にインストールされるプログラム／コードを格納するように構成され得、またはプロセッサ６１０ｂによって実行されることになるコードなどを格納するように構成され得る。
【０１５７】
プロセッサ６１０ｂは、汎用ＣＰＵ、マイクロプロセッサ、ＡＳＩＣ、または１つもしくは複数の集積回路であり得、本出願のこの実施形態において提供されている技術的なソリューションを実施するために、関連したオペレーションを実行するように構成される。
【０１５８】
図６ｂにおいて示されている端末デバイス６００ｂは、特定の実施プロセスにおいて、プロセッサ６１０ｂ、トランシーバ６２０ｂ、およびメモリ６３０ｂのみを示しているが、端末デバイス６００ｂは、通常の稼働に必要な別のコンポーネントをさらに含むということを当業者なら理解するはずであるということに留意されたい。加えて、特定の要件に従って、端末デバイス６００ｂは、その他のさらなる機能を実施するためのハードウェアコンポーネントをさらに含み得るということを当業者なら理解するはずである。加えて、端末デバイス６００ｂは、本出願のこの実施形態を実施するために必要なコンポーネントまたはモジュールのみを含み得るが、図６ｂにおいて示されているすべてのコンポーネントを必ずしも含むとは限らないということを当業者なら理解するはずである。
【０１５９】
これらの実施形態における方法の手順のうちのすべてまたはいくつかは、関連するハードウェアに指示するコンピュータプログラムによって実施され得るということを当技術分野における標準的な技術者なら理解し得る。そのプログラムは、コンピュータ可読ストレージメディア内に格納され得る。そのプログラムが稼働するときに、これらの実施形態における方法の手順が実行され得る。ストレージメディアは、磁気ディスク、光ディスク、ＲＯＭ、ＲＡＭなどであり得る。
【０１６０】
図７において示されているように、本出願の実施形態は、図５において示されているネットワークデバイス５００ａと、図６において示されている端末デバイス６００ａとを含む通信システム７００を提供する。
【０１６１】
図８ａにおいて示されているように、本出願の実施形態におけるネットワークデバイス８００ａは、処理モジュール８１０ａおよびトランシーバモジュール８２０ａを含む。処理モジュール８１０ａは、第１の表示情報を決定するように構成されている。トランシーバモジュール８２０ａは、第１の表示情報を端末デバイスへ送信するように構成されている。第１の表示情報は、第１の受信電力の測定様式を端末デバイスに示すために使用される。
【０１６２】
可能な設計においては、第１の受信電力の測定様式は、基準信号に基づく測定、基準信号および第１の信号に基づく測定、ならびに第１の信号に基づく測定を含む。第１の信号は、同期信号、測位基準信号、およびブロードキャスト信号のうちの少なくとも１つである。
【０１６３】
たとえば、基準信号に基づく測定中には、基準信号の受信電力が、第１の受信電力として使用され、基準信号および第１の信号に基づく測定中には、第１の受信電力は、基準信号の受信電力および第１の信号の受信電力に基づいて決定され、第１の信号に基づく測定中には、第１の受信電力は、第１の信号の受信電力に基づいて決定される。
【０１６４】
本出願のこの実施形態においては、処理モジュール８１０ａは、プロセッサによって実施され得、トランシーバモジュール８２０ａは、トランシーバによって実施され得るということに留意されたい。図８ｂにおいて示されているように、ネットワークデバイス８００ｂは、プロセッサ８１０ｂ、トランシーバ８２０ｂ、およびメモリ８３０ｂを含み得る。メモリ８３０ｂは、基地局８００ｂが配達される際に事前にインストールされるプログラム／コードを格納するように構成され得、またはプロセッサ８１０ｂによって実行されることになるコードなどを格納するように構成され得る。
【０１６５】
プロセッサ８１０ｂは、汎用ＣＰＵ、マイクロプロセッサ、ＡＳＩＣ、または１つもしくは複数の集積回路であり得、本出願のこの実施形態において提供されている技術的なソリューションを実施するために、関連したオペレーションを実行するように構成される。
【０１６６】
図８ｂにおいて示されているネットワークデバイス８００ｂは、特定の実施プロセスにおいて、プロセッサ８１０ｂ、トランシーバ８２０ｂ、およびメモリ８３０ｂのみを示しているが、基地局８００ｂは、通常の稼働に必要な別のコンポーネントをさらに含むということを当業者なら理解するはずであるということに留意されたい。加えて、特定の要件に従って、基地局８００ｂは、その他のさらなる機能を実施するためのハードウェアコンポーネントをさらに含み得るということを当業者なら理解するはずである。加えて、基地局８００ｂは、本出願のこの実施形態を実施するために必要なコンポーネントまたはモジュールのみを含み得るが、図８ｂにおいて示されているすべてのコンポーネントを必ずしも含むとは限らないということを当業者なら理解するはずである。
【０１６７】
これらの実施形態における方法の手順のうちのすべてまたはいくつかは、関連するハードウェアに指示するコンピュータプログラムによって実施され得るということを当技術分野における標準的な技術者なら理解し得る。そのプログラムは、コンピュータ可読ストレージメディア内に格納され得る。そのプログラムが稼働するときに、これらの実施形態における方法の手順が実行され得る。ストレージメディアは、磁気ディスク、光ディスク、ＲＯＭ、ＲＡＭなどであり得る。
【０１６８】
図９ａにおいて示されているように、本出願の実施形態における端末デバイス９００ａは、トランシーバモジュール９２０ａおよび処理モジュール９１０ａを含む。トランシーバモジュール９２０ａは、基地局によって送信された第１の表示情報を受信するように構成されている。処理モジュール９１０ａは、第１の表示情報に基づいて第１の受信電力を測定するように構成されている。第１の表示情報は、第１の受信電力の測定様式を示すために使用され、第１の受信電力は、セルの信号強度を示すために使用される。
【０１６９】
可能な設計においては、第１の受信電力の測定様式は、基準信号に基づく測定、基準信号および第１の信号に基づく測定、ならびに第１の信号に基づく測定を含む。第１の信号は、同期信号、測位基準信号、およびブロードキャスト信号のうちの少なくとも１つである。
【０１７０】
本出願のこの実施形態においては、処理モジュール９１０ａは、プロセッサによって実施され得、トランシーバモジュール９２０ａは、トランシーバによって実施され得るということに留意されたい。図９ｂにおいて示されているように、端末デバイス９００ｂは、プロセッサ９１０ｂ、トランシーバ９２０ｂ、およびメモリ９３０ｂを含み得る。メモリ９３０ｂは、端末デバイス９００ｂが配達される際に事前にインストールされるプログラム／コードを格納するように構成され得、またはプロセッサ９１０ｂによって実行されることになるコードなどを格納するように構成され得る。
【０１７１】
プロセッサ９１０ｂは、汎用ＣＰＵ、マイクロプロセッサ、ＡＳＩＣ、または１つもしくは複数の集積回路であり得、本出願のこの実施形態において提供されている技術的なソリューションを実施するために、関連したオペレーションを実行するように構成される。
【０１７２】
図９ｂにおいて示されている端末デバイス９００ｂは、特定の実施プロセスにおいて、プロセッサ９１０ｂ、トランシーバ９２０ｂ、およびメモリ９３０ｂのみを示しているが、端末デバイス９００ｂは、通常の稼働に必要な別のコンポーネントをさらに含むということを当業者なら理解するはずであるということに留意されたい。加えて、特定の要件に従って、端末デバイス９００ｂは、その他のさらなる機能を実施するためのハードウェアコンポーネントをさらに含み得るということを当業者なら理解するはずである。加えて、端末デバイス９００ｂは、本出願のこの実施形態を実施するために必要なコンポーネントまたはモジュールのみを含み得るが、図９ｂにおいて示されているすべてのコンポーネントを必ずしも含むとは限らないということを当業者なら理解するはずである。
【０１７３】
これらの実施形態における方法の手順のうちのすべてまたはいくつかは、関連するハードウェアに指示するコンピュータプログラムによって実施され得るということを当技術分野における標準的な技術者なら理解し得る。そのプログラムは、コンピュータ可読ストレージメディア内に格納され得る。そのプログラムが稼働するときに、これらの実施形態における方法の手順が実行され得る。ストレージメディアは、磁気ディスク、光ディスク、ＲＯＭ、ＲＡＭなどであり得る。
【０１７４】
図１０において示されているように、本出願の実施形態における通信システム１０００は、図８ａにおいて示されているネットワークデバイス８００ａと、図９ａにおいて示されている端末デバイス９００ａとを含む。
【０１７５】
本出願の実施形態は、方法、システム、またはコンピュータプログラム製品として提供され得るということを当業者なら理解するはずである。したがって、本出願の実施形態は、ハードウェアのみの実施形態、ソフトウェアのみの実施形態、または、ソフトウェアとハードウェアとの組合せを伴う実施形態という形態を使用し得る。加えて、本出願の実施形態は、コンピュータ使用可能プログラムコードを含む１つまたは複数のコンピュータ使用可能ストレージメディア（ディスクメモリ、ＣＤ−ＲＯＭ、光メモリを含むが、それらには限定されない）の上に実装されているコンピュータプログラム製品という形態を使用し得る。
【０１７６】
本出願の実施形態は、本出願の実施形態による方法、デバイス（システム）、およびコンピュータプログラム製品のフローチャートおよび／またはブロック図を参照しながら記述されている。コンピュータプログラム命令は、フローチャートおよび／またはブロック図におけるそれぞれのプロセスおよび／またはそれぞれのブロック、ならびにフローチャートおよび／またはブロック図におけるプロセスおよび／またはブロックの組合せを実施するために使用され得るということを理解されたい。これらのコンピュータプログラム命令は、マシンを生み出すために、汎用コンピュータ、専用コンピュータ、組み込みプロセッサ、またはその他の任意のプログラム可能なデータ処理デバイスのプロセッサに提供され得、それによって、コンピュータまたはその他の任意のプログラム可能なデータ処理デバイスのプロセッサによって実行されるこれらの命令は、フローチャートにおける１つもしくは複数のプロセスにおいて、および／またはブロック図における１つもしくは複数のブロックにおいて特定の機能を実施するための装置を生み出す。
【０１７７】
これらのコンピュータプログラム命令は、特定の様式で機能するようにコンピュータまたはその他の任意のプログラム可能なデータ処理デバイスに指示することが可能であるコンピュータ可読メモリ内に格納され得、それによって、そのコンピュータ可読メモリ内に格納されているこれらの命令は、命令装置を含むアーチファクトを生み出す。その命令装置は、フローチャートにおける１つもしくは複数のプロセスにおいて、および／またはブロック図における１つもしくは複数のブロックにおいて特定の機能を実施する。
【０１７８】
これらのコンピュータプログラム命令はまた、コンピュータまたは別のプログラム可能なデータ処理デバイス上にロードされ得、それによって、そのコンピュータまたはその別のプログラム可能なデバイス上で一連のオペレーションおよびステップが実行され、それによってコンピュータ実施処理を生み出す。したがって、そのコンピュータまたはその別のプログラム可能なデバイス上で実行されるこれらの命令は、フローチャートにおける１つもしくは複数のプロセスにおいて、および／またはブロック図における１つもしくは複数のブロックにおいて特定の機能を実施するためのステップを提供する。
【０１７９】
明らかに、当業者なら、本出願の趣旨および範囲から逸脱することなく、本出願に対するさまざまな修正および変形を行うことが可能である。本出願は、本出願のこれらの修正および変形が、本出願の添付の特許請求の範囲およびそれらの均等なテクノロジーによって定義されている保護の範囲内に収まるならば、これらの修正および変形をカバーすることを意図されている。
【図１】
0006923672.tif 000008
【図２】
0006923672.tif 000009
【図３】
0006923672.tif 000010
【図４】
0006923672.tif 000011
【図５ａ】
0006923672.tif 000012
【図５ｂ】
0006923672.tif 000013
【図６ａ】
0006923672.tif 000014
【図６ｂ】
0006923672.tif 000015
【図７】
0006923672.tif 000016
【図８ａ】
0006923672.tif 000017
【図８ｂ】
0006923672.tif 000018
【図９ａ】
0006923672.tif 000019
【図９ｂ】
0006923672.tif 000020
【図１０】
0006923672.tif 000021